(57)【要約】      （修正有）【課題】非接触型のＩＣカード読み取り端末を備え、イベント会場等で使用するポールパーティションを提供する。【解決手段】ベース基板１上に立設されるポール本体２の上部に、互いに対となる他のポール本体と連結される接続体３を掛け止めるための掛け止めヘッド４を取り付けてなるポールパーティションにおいて、前記ポール本体の上部に、密閉空間を確保できるケース体６を取り付け、該ケース体内の密閉空間に非接触型のＩＣカード読み取り端末７を収納し、該ＩＣカード読み取り端末の正面と対面するケース体上の対面部位にタッチマークを標示して構成する。【選択図】図１
0003150512.tif 000002
【実用新案登録請求の範囲】
【請求項１】
ベース基板上に立設されるポール本体の上部に、互いに対となる他のポール本体と連結される接続体を掛け止めるための掛け止めヘッドを取り付けてなるポールパーティションにおいて、前記ポール本体の上部に、密閉空間を確保できるケース体を取り付け、該ケース体内の密閉空間に非接触型のＩＣカード読み取り端末を収納し、該ＩＣカード読み取り端末の正面と対面するケース体上の対面部位にタッチマークを標示したことを特徴とする非接触型のＩＣカード読み取り端末を備えたポールパーティション。
【請求項２】
ケース体のタッチマークを標示した前記対面部位以外の部位に、宣伝広告シールを標示したことを特徴とする請求項１記載の非接触型のＩＣカード読み取り端末を備えたポールパーティション。
【請求項３】
ケース体のタッチマークを標示した前記対面部位を傾斜面に形成したことを特徴とする請求項１又は２記載の非接触型のＩＣカード読み取り端末を備えたポールパーティション。
【請求項４】
ケース体とポール本体との取り付けが、ビス止めのアタッチメントを介して行われることを特徴とする請求項１乃至３のいずれかに記載の非接触型のＩＣカード読み取り端末を備えたポールパーティション。
【考案の詳細な説明】
【技術分野】
【０００１】
本考案は、主としてイベント会場、店舗や各種展示会など展示会場の展示ブースの周辺に設置され、当該ブースを訪れる来場者が所有する携帯端末のＩＣカードに必要なＵＲＬを非接触状態で送信したり、その送信記録を管理してコミュニケーションやマーケティングツールとして役立てたりするためのＩＣカード読み取り端末を一体的に組み込んだ、非接触型のＩＣカード読み取り端末を備えたポールパーティションに関する。
【背景技術】
【０００２】
従来より、複数のポール間を伸縮自在のベルトや、あるいはロープを掛け渡すことで、立ち入り区域を仕切ったり、行列を整理するなどの空間仕切りの目的でポールパーティション（ベルトパーティションとロープパーティションのいずれをも含む）が広く普及している。
このポールパーティションは、その目的よりして、区域の仕切りや行列の整理に必要となる構成を備えるものであり、従来タイプのポールパーティションは、その上端部付近に電飾効果を狙ったカラフルな装飾用ＬＥＤ素子が備えられる程度のものしか存在しない実情であった（特許文献１参照）。
【特許文献１】実用新案登録第３１１４５７４号公報
【特許文献２】特開平５−８６７４９号公報
【特許文献３】特開平７−２４７７３６号公報
【考案の開示】
【考案が解決しようとする課題】
【０００３】
しかしながら、ポールパーティションを設置するような場所は、比較的多くの人が集まり易く、かつ一定の時間その場所にとどまり易いという傾向があるため、パーティションの宣伝広告機能を向上させる上で、更なる改良を加えたものの出現が望まれていた。
【０００４】
本考案の目的は、ポールパーティションとして必要となる機能を阻害することなく、そのポールパーティションの上部空間位置に情報交換機能を発揮できる非接触型のＩＣカード読み取り端末を、密閉したケース内に納めて設置し、そのＩＣカード読み取り端末の前方位置付近に、各人の携帯電話（具体的にはそこに内蔵されているＩＣカード）を非接触状態でかざす（本明細書中では、このことを「タッチ」と表現する）だけで、事前に用意しているＵＲＬを携帯電話の所有者に送信し、その送信を受けた携帯電話の所有者はそのＵＲＬにリダイレクト（アクセス）して、サーバーとの間で必要な情報交換を行うこととなる。
【０００５】
ＵＲＬとの交信では、携帯電話を所有する人にとって有益な各種の情報が伝えられたり、ポイントの獲得が行えたりとのメリットが生まれ、ＩＣカード読み取り端末を設置した側にとっては、リアルタイムでタッチ数とアクセス数を把握することができ、効果的な誘導が実現できるというメリットが生まれる。
【課題を解決するための手段】
【０００６】
前記課題を解決するために、請求項１に記載の考案は、ベース基板上に立設されるポール本体の上部に、互いに対となる他のポール本体と連結される接続体を掛け止めるための掛け止めヘッドを取り付けてなるポールパーティションにおいて、前記ポール本体の上部に、密閉空間を確保できるケース体を取り付け、該ケース体内の密閉空間に非接触型のＩＣカード読み取り端末を収納し、該ＩＣカード読み取り端末の正面と対面するケース体上の対面部位にタッチマークを標示したことを特徴とする非接触型のＩＣカード読み取り端末を備えたポールパーティションである。
【０００７】
請求項２に記載の考案は、ケース体のタッチマークを標示した前記対面部位以外の部位に、宣伝広告シールを標示したことを特徴とする請求項１記載の非接触型のＩＣカード読み取り端末を備えたポールパーティションである。
【０００８】
請求項３に記載の考案は、ケース体のタッチマークを標示した前記対面部位を傾斜面に形成したことを特徴とする請求項１又は２記載の非接触型のＩＣカード読み取り端末を備えたポールパーティションである。
【０００９】
請求項４に記載の考案は、ケース体とポール本体との取り付けが、ビス止めのアタッチメントを介して行われることを特徴とする請求項１乃至３のいずれかに記載の非接触型のＩＣカード読み取り端末を備えたポールパーティションである。
【考案の効果】
【００１０】
上記の請求項１乃至４の考案によれば、ポールパーティションのタッチマークに、ＭＩＦＡＲＥ（登録商標）やＦｅｌｉＣａ（登録商標）等に対応可能な非接触型ＩＣカードを備えた携帯電話などの携帯端末をかざし（タッチ）、そのタッチで瞬時にネットワーク通信が行われ、携帯電話などの所有者にとっては、必要な各種の情報提供を受けることができたり、ポイントの獲得ができたり、ゲームや映像を楽しんだり等のメリットを享受することができ、一方ＩＣカード読み取り端末を設置した側にとっては、リアルタイムでタッチ数とアクセス数を把握することができ、個別に属性・行動パターンを考慮した効率の高いマーケティングが行えるというメリットを享受することができる。本考案のＩＣカード読み取り端末は、ポールパーティションの上部という、極めて使い易い位置に取り付けられるので大変便利なものとなる。
【００１１】
また請求項２の考案によれば、ケース体のタッチマークを標示した前記対面部位以外の部位に、宣伝広告シールを標示することで、人の注目を集め易い有効な宣伝広告が可能となる効果を発揮する。さらに宣伝広告シールは、ケース体の破損事故時には、破片の飛散を防止するという効果がある。
【００１２】
さらに請求項３の考案によれば、ケース体のタッチマークを標示した前記対面部位を傾斜面に形成することで、携帯電話などをタッチマークにタッチさせる際に、きわめてタッチし易い構造となる効果を発揮する。
【００１３】
ついで請求項４の考案によれば、ケース体とポール本体との取り付けが、ビス止めのアタッチメントを介して行われることで、ポール体とケース体との取り付け作業が効率的かつ確実に行えるとともに、このような装置の量産にも適するという効果を発揮する。
【考案を実施するための最良の形態】
【００１４】
以下添付図面に基づいて、本考案に係る非接触型のＩＣカード読み取り端末を備えたポールパーティションの一実施の形態を詳説するが、本考案はこれらの実施の形態に制限されるものではない。
図１は、本考案に係る非接触型のＩＣカード読み取り端末を備えたポールパーティションの使用状態を示す正面図であり、図２はケース体の拡大一部断面図であり、図３は他の実施形態にかかるケース体の拡大斜視図である。
【００１５】
図１乃至図３に示されるごとく、本考案の非接触型のＩＣカード読み取り端末を備えたポールパーティションＡは、ＭＩＦＡＲＥ（登録商標）やＦｅｌｉＣａ（登録商標）等に代表される非接触ＩＣカード技術で携帯電話が切符や財布の代わりとして使用できるタイプの非接触型ＩＣカードを備えた携帯電話１３との間で、非接触状態で、Ｗｅｂ情報を無線通信することが可能なＩＣカード読み取り端末７を、ポールパーティションＡのポール本体２の上部に取り付けたケース体６内の密閉空間５に収納したものである。
このＩＣカード読み取り端末７は、全体が携帯電話の薄型タイプ程度の大きさ（厚さ９ミリメートル程度）の機器で形成され、長時間の連続使用に耐えられるように、大型のバッテリーが取り付けられるようになっている。
【００１６】
ついで、安定性のあるベース本体１の上面に立設された柱状のポール本体２の上部に、互いに対となる他のポール本体１とベルトやロープからなる接続体３を掛け止めるための掛け止めヘッド４が取り付けられる。ベルトなどの接続体３は仕切り空間を形成するためのもので、掛け止めヘッド４には、この接続体３の端部に取り付けられている止め具が係止されるようになっている。
【００１７】
本考案では、このポール本体１の上部に、密閉空間５を確保できるケース体６が取り付けられる。このケース体１は、透明又は不透明のアクリル樹脂などの素材で形成され、外部からのある程度の衝撃に耐えられるとともに、密閉空間５内に設置されたＩＣカード読み取り端末７の盗難事故などを防止できる構造になっている。符号１２は、密閉空間５内に設置された載置台である。
【００１８】
またケース体１の、ＩＣカード読み取り端末７の正面と対面する対面部位にはタッチマーク８を標示している。携帯電話１３の使用者は、このタッチマーク８に携帯電話１３をタッチさせるだけで、ＩＣカード読み取り端末７間での上記の如き情報の交換が行える。
【００１９】
次に、ケース体１のタッチマーク８を標示した前記対面部位以外の部位は、広告スペースとして有効に利用できる箇所であるため、そのような部位には宣伝広告シール９を必要に応じて自由に標示することができる。
この広告宣伝シール９は、宣伝広告の機能を発揮する以外にも、ケース体の破損事故などの際には、その破片の飛び散りを防止して、周囲の人々に危険が及ぶのを防止する機能も発揮することになる。
【００２０】
またケース体１のタッチマーク８を標示した前記対面部位を、傾斜面１０に形成しておくと、携帯電話をタッチマーク８にタッチさせる際に当て易くなる効果がある。
【００２１】
さらにケース体１の下面には、ポール本体２との取り付けを容易にするために、ビス止めのアタッチメント１１を用意しておき、このアタッチメント１１を介してケース体１とポール本体２とを取り付けできるようにすることで、ポール体とケース体との取り付け作業が効率的かつ確実に行えるとともに、このような装置の量産にも適するものとなる。
【産業上の利用可能性】
【００２２】
本考案の非接触型のＩＣカード読み取り端末を備えたポールパーティションは、従来注目されたことのない利用場所で非接触型のＩＣカード読み取り端末の利用機会を増やすので、多くの人々が集まるイベント会場、店舗や展示会などの設営現場において重宝に利用することが可能である。
【図面の簡単な説明】
【００２３】
【図１】本考案に係る非接触型のＩＣカード読み取り端末を備えたポールパーティションの使用状態を示す正面図である。
【図２】ケース体の拡大一部断面図である。
【図３】他の実施形態にかかるケース体の拡大斜視図である。
【符号の説明】
【００２４】
Ａ …ポールパーティション
１ …ベース基板
２ …ポール本体
３ …接続体
４ …掛け止めヘッド
５ …密閉空間
６ …ケース体
７ …ＩＣカード読み取り端末
８ …タッチマーク
９ …宣伝広告シール
１０ …傾斜面
１１ …アタッチメント
１２ …載置台
１３ …携帯電話
【図１】
0003150512.tif 000003
【図２】
0003150512.tif 000004
【図３】
0003150512.tif 000005